(57)【要約】【課題】緊急用身飾品として、緊急時に第三者に認識され易く、しかも、小さな場所に多くの情報を邪魔になることなく入れ込むことができる指輪を提供する。【解決手段】彫刻機でリング表面に平面部分７を設け、この平面部分７に彫刻機でリング表面に０．３ｍｍの深さで彫刻したマトリックス型二次元コード２を設け、彫刻部分に黒色のコーティングを施し、かつ、表面に無色ＵＶコーティングを施した。【選択図】  図１
0003151504.tif 000002
【実用新案登録請求の範囲】
【請求項１】
彫刻機でリング表面に平面部分を設け、この部分に０．３ｍｍの深さで彫刻したマトリックス型二次元コードを設けたことを特徴とする指輪。
【請求項２】
彫刻部分に黒色のコーティングを施し、かつ、表面に無色ＵＶコーティングを施した請求項１記載の指輪。
【請求項３】
指輪の貴金属材質として、スターリングシルバーを使用した請求項１または請求項２記載の指輪。
【考案の詳細な説明】
【技術分野】
【０００１】
本考案は、緊急用身飾品としての指輪に関するものである。
【背景技術】
【０００２】
緊急用身飾品としてリング状の指輪本体の底面外周に、Ａ；病名、Ｂ；血液型、Ｃ；使用薬品名、Ｄ；都道府県及び市外局番、Ｅ；病院名、Ｆ；国籍、Ｇ；生年月日、Ｈ；氏名、等からなる表示を彫り込んだものが下記特許文献に示されている。
【特許文献１】特開２００１−７８８１５公報
【０００３】
これは、指輪等の装身具にインターネット等の通信ネットでアクセスするためのアドレスやバーコード等の認識もしくは情報記憶手段を組み込み、事故や身体上のトラブル等が発生したときにも簡単に詳しい情報を入手することが可能な緊急用身飾品を提供しようとするもので、貴金属素材、金属素材、アクリル樹脂等のプラスチック、紙、布等からなる身飾品の適宜位置に、氏名や生年月日、血液型のみならず、インターネット等の通信ネットでアクセスするためのアドレスやバーコード等の認識もしくは情報記憶手段を組み込んだことを特徴とする。
【０００４】
これらの身分を示す表示以外に、インターネット等の通信ネットでアクセスするためのホームページアドレスＩや電子メールアドレスＪが緊急用の暗証番号Ｋ等とともに組み込まれている。
【０００５】
そして、前記アドレスでインターネット等の通信ネットにアクセスし、緊急用の暗証番号を入力することにより、ホームページやメールボックス等において、緊急事態の発生が自動的に表示される。
【０００６】
この特許文献１の緊急用身飾品では、ブレスレットに適用した実施例として、表面にＡ；病名、Ｂ；血液型、Ｃ；使用薬品名、Ｄ；都道府県及び市外局番、Ｅ；病院名、Ｆ；国籍、Ｇ；生年月日、Ｈ；氏名、等からなる表示を刻印やエッチング、その他の手段で施したプレートの両側にブレスレット用駒を設け、所定の長さに連結して腕や手首に装着する。
【０００７】
また、バーコード付き装身具として下記特許文献２がある。
【特許文献２】実開平６−６６３３６号公報
【０００８】
この特許文献２は、正当所有者であることを簡易にかつ確実に確認でき、携帯の煩わしさもないバーコード付き装身具を提供するもので、装身具本体に対してこの装身具本体の所有者本人を識別する識別情報をバーコード情報の形態で設けたものである。
【０００９】
この構成により、バーコード情報を利用して正当所有者であることを簡易にかつ確実に確認でき、各種取引媒体の不正使用や自動車の盗難防止を図ることが可能となる。
【００１０】
特許文献２では、バーコード付き装身具は、所有者の指に挿入可能な装身具本体としての指輪の外周の一部に、予め定められた所有者本人を識別する識別情報をバーコード情報の形態で印刷により表示したものとされる。
【００１１】
また、他の実施例として、装身具本体としての指輪における宝石の外周面の一部を微細加工して、予め定められた所有者本人を識別する識別情報をバーコード情報の形態で表示したものも記載されている。
【００１２】
さらに、装身具本体に対してバーコード情報を表示したプレートを嵌め合わせたり、ねじ止めしてもよく、また、装身具本体に対してバーコード情報を表示したプレートを接着剤を用いて接着するようにしてもよい。尚、バーコード情報としては、平面的なものや、ある程度の凹凸のある立体的なもののように、その表示形態は任意であるとも記載されている。
【考案の開示】
【考案が解決しようとする課題】
【００１３】
前記特許文献１の緊急用身飾品では、ブレスレットに適用した例に比べて指輪に適用した場合は小さなものに収まり、邪魔にならないという利点があり、常時身に着けていても楽であるという利点がある。
【００１４】
さらに、ペンダント等に比べて、服の中に入ることもなく、指輪をつけていることを発見され易いという利点もある。
【００１５】
その反面、情報を設ける場所が指輪の外周面という限られたスペースとなり、容易に指から外せない場合が多いことを考慮すると、指輪の内周面の使用は無理である。
【００１６】
さらに、指輪の外周面は曲面であり、特許文献２のようにバーコードを描くものでは、このバーコード自体が横に長くなり、曲面として存在し、バーコードリーダ等の読み取り手段で読み取り難いものとなる。
【００１７】
本考案の目的は前記従来例の不都合を解消し、緊急用身飾品として、緊急時に第三者に認識され易く、しかも、小さな場所に多くの情報を邪魔になることなく入れ込むことができる指輪を提供することにある。
【課題を解決するための手段】
【００１８】
本考案は前記目的を達成するため、第１に、彫刻機でリング表面に平面部分を設け、この部分に０．３ｍｍの深さで彫刻したマトリックス型二次元コードを設けたことを要旨とするものである。
【００１９】
請求項１記載の本考案によれば、リング表面に平面部分を設け、この平面部分彫刻機（レーザー彫刻機）で０．３ｍｍの深さで彫刻するものであり、リングの厚さを薄くして装着して違和感がないものとしても、彫刻するのに問題がない。
【００２０】
また、彫刻するものは、ＱＲコード（登録商標）等のマトリックス型二次元コードであり、横方向にしか情報を持たないバーコードに比較して場所を取らず、縦横に情報を持つので、格納できる情報量が多く、数字だけでなく英字や漢字のデータも格納できるものとなる。リング表面に設ける平面部分も小さいもので済み、指輪全体のデザインに大きく影響を与えることはない。
【００２１】
さらに、指輪であるので、ベンダントのように服などに隠れ、第三者に非常に認識されづらいこともない。
【００２２】
レーザー彫刻機を用いることで、このマトリックス型二次元コード以外でもリングに細かく小さい文字情報を読み易く、奇麗に彫刻することが可能となった。
【００２３】
請求項２記載の本考案によれば、彫刻部分に黒色のコーティングを施すことで、銀色や金色の貴金属色の場合に比べてリーダーで読み易いものになり、かつ、表面に塗料を塗り、紫外線で凝固する無色ＵＶコーティングを施すことで、黒色のコーティングを油性インクで施した場合に色が取れないようにすることができる。
【００２４】
請求項３記載の本考案によれば、リング素材としてスターリングシルバーを使用したので、強度は従来のリングの３倍のものとすることができ、大きな傷が付きにくく、通常使用であれば変色や変形はしない。さらに、リングの厚さが１．２ｍｍと装着して違和感のない薄いものとすることができ、繊細に彫刻してスタイリッシュでいつまでも使い続けることが可能なものとなる。
【考案の効果】
【００２５】
以上述べたように本考案の指輪によれば、緊急用身飾品として、緊急時に第三者に認識され易く、しかも、小さな場所に多くの情報を邪魔になることなく入れ込むことができるものである。
【考案を実施するための最良の形態】
【００２６】
以下、本考案の実施の形態を詳細に説明する。図１、図２は本考案の指輪の１実施形態を示す斜視図、図３、図４は同上展開図で、図中１は指輪本体である。
【００２７】
指輪本体１は、メディカルアイディーリングとして緊急時の通報情報を外周面に描いたものであり、マトリックス型二次元コード２、氏名３、血液型４、緊急連絡先５、緊急薬６などをレーザー彫刻機でリング表面に０．３ｍｍの深さで彫刻した。
【００２８】
指輪本体１の外周面に鍛造もしくは切削などで小さい平面部分７を形成し、この平面部分７に前記マトリックス型二次元コード２を彫刻した。なお、外周面に平面部分７を設けるに際して、内周面の円形は変える必要がない。
【００２９】
マトリックス型二次元コード２としては、ＱＲコード（デンソーウェーブの登録商標）が最適である。ＱＲコードとは、ＱＲはＱｕｉｃｋ  Ｒｅｓｐｏｎｓｅに由来し、高速読み取りができるように１９９４年にデンソーの開発部門（現在は分離し、デンソーウェーブとなっている。）が開発したマトリックス型二次元コードの一種。白と黒の格子状のパターンで情報を表すものである。
【００３０】
バーコードは、読み取りの速さと正確さ、操作性の高さなどの特長から広く普及し、情報量を多くするためにバーコードの桁数を増やしたり、複数のバーコードを並べたり…という工夫も施された。しかし、表示面積を大きくしたり、読み取り操作を煩雑にしたり、印刷コストを上昇させたり…という問題があった。
【００３１】
バーコードは、一方向だけに情報を持っているのに対し、ＱＲコード（二次元コード）は、縦、横二方向に情報を持つことで、記録できる情報量を飛躍的に増加させることができる。
【００３２】
マトリックス型二次元コード２に盛り込む情報内容としては、アドレスその他の個人情報であり、このマトリックス型二次元コード２は携帯電話によって読み取ることが可能である。
【００３３】
マトリックス型二次元コード２を含めて彫刻部分に油性インクによる黒色のコーティングを施した。
【００３４】
かつ、その上に表面にＵＶ塗料による無色ＵＶコーティングを施した。ＵＶとは、ＵｌｔｒａＶａｉｏｌｅｔＲａｙｓ（ウルトラバイオレットレイズ）の略語で紫外線を意味し、ＵＶ塗料は紫外線を照射することで硬化する樹脂塗料である。
【００３５】
このように、黒色のコーティングを施した彫刻部分の上にさらに無色ＵＶコーティングを施すことで、色が脱落しないように保護することができる。
【００３６】
また、指輪本体１の貴金属材質としては、銀の含有率９２５パーミル（‰：千分率）、割り金７５‰（主に銅）の銀合金であるスターリングシルバー（sterling silver）を使用した。
【００３７】
指輪本体１のリング厚さは１．２ｍｍであり、幅は６ｍｍである。なお、厚さや幅は多少の変更が可能である。
【００３８】
このようにして本考案の指輪を装着することにより、持病を持っている者が万が一、持病が発生した際に救急隊や第三者に情報が発見され易いものとなり、交通事故等思わぬ事故に遭遇した時などでは、第三者がこの指輪を見つけて家族へスムーズに連絡をしてくることが期待でき、認知症などでは、万が一徘徊などをしてしまった時に、発見した者がスムーズに家族に知らせることもできる。
【００３９】
前記のようにマトリックス型二次元コード２は携帯電話のバーコード読み取り機能を用いて携帯電話で読み取り可能であり、読み取ってそのまま電話を架けることができるので、迅速な対応が可能となる。
【図面の簡単な説明】
【００４０】
【図１】本考案の指輪の１実施形態を示す斜視図である。
【図２】本考案の指輪の１実施形態を示す他の角度からの斜視図である。
【図３】本考案の指輪の彫刻例の１例を示す展開図である。
【図４】本考案の指輪の彫刻例の他例を示す展開図である。
【符号の説明】
【００４１】
１…指輪本体                    ２…マトリックス型二次元コード
３…氏名                        ４…血液型
５…緊急連絡先                  ６…緊急薬
７…平面部分
【図１】
0003151504.tif 000003
【図２】
0003151504.tif 000004
【図３】
0003151504.tif 000005
【図４】
0003151504.tif 000006